(57)【要約】【課題】光学性能が良好で低コスト・コンパクトな固体撮像素子用の撮像レンズを提供する。【解決手段】固体撮像素子に像を形成するレンズ３枚構成の撮像レンズであって、物体側から順に、パワーの弱い第１レンズ(L1)，開口絞り(ST)，正の第２レンズ(L2)，像側に凹面を向けた負の第３レンズ(L3)で構成され、条件式：｜f／f1｜＜0.6，-2.2＜f／f3＜-0.79{f：全系の焦点距離、f1：第１レンズ(L1)の焦点距離、f3：第３レンズ(L3)の焦点距離}を満足する。【選択図】      図１
2004163849.tif 000002
【特許請求の範囲】
【請求項１】
固体撮像素子に像を形成するレンズ３枚構成の撮像レンズであって、物体側から順に、パワーの弱い第１レンズと、開口絞りと、正の第２レンズと、像側に凹面を向けた負の第３レンズとで構成され、以下の条件式(A0)及び(A1)を満足することを特徴とする撮像レンズ；
｜f／f1｜＜0.6  …(A0)
-2.2＜f／f3＜-0.79  …(A1)
ただし、
f：全系の焦点距離、
f1：第１レンズの焦点距離、
f3：第３レンズの焦点距離、
である。
【請求項２】
固体撮像素子に像を形成するレンズ３枚構成の撮像レンズであって、物体側から順に、正の第１レンズと、開口絞りと、正の第２レンズと、負の第３レンズとで構成され、以下の条件式(A2)を満足することを特徴とする撮像レンズ；
-2.6＜f3／f1＜-0.15  …(A2)
ただし、
f3：第３レンズの焦点距離、
f1：第１レンズの焦点距離、
である。
【請求項３】
固体撮像素子に像を形成するレンズ３枚構成の撮像レンズであって、物体側から順に、正の第１レンズと、開口絞りと、像側凸の正のメニスカス形状の第２レンズと、像側凹の負のメニスカス形状の第３レンズとで構成され、以下の条件式(A3)を満足することを特徴とする撮像レンズ；
0.05＜T6／f＜0.5  …(A3)
ただし、
T6：第３レンズの軸上レンズ厚み、
f：全系の焦点距離、
である。
【請求項４】
固体撮像素子に像を形成するレンズ３枚構成の撮像レンズであって、物体側から順に、正の第１レンズと、開口絞りと、正の第２レンズと、正の第３レンズとで構成され、以下の条件式(B1)を満足することを特徴とする撮像レンズ；
0.2＜f／f3＜0.4  …(B1)
ただし、
f：全系の焦点距離、
f3：第３レンズの焦点距離、
である。
【請求項５】
固体撮像素子に像を形成するレンズ３枚構成の撮像レンズであって、物体側から順に、物体側凸の正のメニスカレンズと、開口絞りと、像側凸の正レンズと、像側凸の正のメニスカスレンズとで構成され、以下の条件式(B3)を満足することを特徴とする撮像レンズ；
0.05＜T6／f＜0.4  …(B3)
ただし、
T6：第３レンズの軸上レンズ厚み、
f：全系の焦点距離、
である。
【発明の詳細な説明】
【０００１】
【発明の属する技術分野】
本発明は撮像レンズに関するものであり、更に詳しくは被写体の映像を固体撮像素子で取り込むデジタル入力機器(デジタルスチルカメラ，デジタルビデオカメラ等)に適した小型の撮像レンズに関するものである。
【０００２】
【従来の技術】
近年、パーソナルコンピュータ等の普及に伴い、手軽に画像情報をデジタル機器に取り込むことができるデジタルスチルカメラやデジタルビデオカメラ等(以下単に「デジタルカメラ」という。)が個人ユーザーレベルで普及しつつある。このようなデジタルカメラは、今後も画像情報の入力機器として益々普及することが予想される。
【０００３】
また、デジタルカメラに搭載されるＣＣＤ(Charge Coupled Device)等の固体撮像素子の小型化が進展してきており、それに伴ってデジタルカメラにも一層の小型化が求められている。このため、デジタル入力機器において最大の容積を占める撮像レンズにも、コンパクト化が強く要望されている。撮像レンズを小型化するには固体撮像素子のサイズを小さくするのが最も容易な方法ではあるが、そのためには受光素子のサイズを小さくする必要があり、固体撮像素子の製造難易度が上がるとともに撮像レンズに要求される性能も高くなる。
【０００４】
一方、固体撮像素子のサイズをそのままにして撮像レンズのサイズを小さくすると、必然的に射出瞳位置が像面に近づいてしまう。射出瞳位置が像面に近づくと、撮像レンズから射出された軸外光束が像面に対して斜めに入射するため、固体撮像素子の前面に設けられているマイクロレンズの集光性能が十分に発揮されず、画像の明るさが画像中央部と画像周辺部とで極端に変化するという問題が生じることになる。この問題を解決するために撮像レンズの射出瞳位置を遠くに離そうとすると、どうしても撮像レンズ全体の大型化が避けられなくなる。
【０００５】
さらに近年の低価格化競争のため、撮像レンズにも低コスト化の要望が強くなってきている。以上のような要望に対し、レンズ３枚構成の撮像レンズが特許文献１〜３で提案されている。
【０００６】
【特許文献１】
特開２００１−２７２５９８号公報
【特許文献２】
特開２００２−６９８８８９号公報
【特許文献３】
特開平１１−５２２２７号公報
【０００７】
【発明が解決しようとする課題】
特許文献１に開示されているレンズ３枚構成の撮像レンズは、焦点距離に対して全長が約３倍程度であり、コンパクトになっていない。特許文献２に開示されている撮像レンズは、焦点距離に対して全長が約２倍程度とコンパクトではあるが、ガラスレンズを２枚も使用しているため低コストになっていない。特許文献３に開示されている撮像レンズは、焦点距離に対して全長が約２．５倍程度であり、コンパクトになっていない。また画角が約４０度であり、撮像レンズとして使用するには画角が不十分である。
【０００８】
本発明はこのような状況に鑑みてなされたものであって、光学性能が良好で低コストかつコンパクトな固体撮像素子用の撮像レンズを提供することを目的とする。
【０００９】
【課題を解決するための手段】
上記目的を達成するために、第１の発明の撮像レンズは、固体撮像素子に像を形成するレンズ３枚構成の撮像レンズであって、物体側から順に、パワーの弱い第１レンズと、開口絞りと、正の第２レンズと、像側に凹面を向けた負の第３レンズとで構成され、以下の条件式(A0)及び(A1)を満足することを特徴とする。
｜f／f1｜＜0.6  …(A0)
-2.2＜f／f3＜-0.79  …(A1)
ただし、
f：全系の焦点距離、
f1：第１レンズの焦点距離、
f3：第３レンズの焦点距離、
である。
【００１０】
第２の発明の撮像レンズは、固体撮像素子に像を形成するレンズ３枚構成の撮像レンズであって、物体側から順に、正の第１レンズと、開口絞りと、正の第２レンズと、負の第３レンズとで構成され、以下の条件式(A2)を満足することを特徴とする。
-2.6＜f3／f1＜-0.15  …(A2)
ただし、
f3：第３レンズの焦点距離、
f1：第１レンズの焦点距離、
である。
【００１１】
第３の発明の撮像レンズは、固体撮像素子に像を形成するレンズ３枚構成の撮像レンズであって、物体側から順に、正の第１レンズと、開口絞りと、像側凸の正のメニスカス形状の第２レンズと、像側凹の負のメニスカス形状の第３レンズとで構成され、以下の条件式(A3)を満足することを特徴とする。
0.05＜T6／f＜0.5  …(A3)
ただし、
T6：第３レンズの軸上レンズ厚み、
f：全系の焦点距離、
である。
【００１２】
第４の発明の撮像レンズは、固体撮像素子に像を形成するレンズ３枚構成の撮像レンズであって、物体側から順に、正の第１レンズと、開口絞りと、正の第２レンズと、正の第３レンズとで構成され、以下の条件式(B1)を満足することを特徴とする。
0.2＜f／f3＜0.4  …(B1)
ただし、
f：全系の焦点距離、
f3：第３レンズの焦点距離、
である。
【００１３】
第５の発明の撮像レンズは、固体撮像素子に像を形成するレンズ３枚構成の撮像レンズであって、物体側から順に、物体側凸の正のメニスカレンズと、開口絞りと、像側凸の正レンズと、像側凸の正のメニスカスレンズとで構成され、以下の条件式(B3)を満足することを特徴とする。
0.05＜T6／f＜0.4  …(B3)
ただし、
T6：第３レンズの軸上レンズ厚み、
f：全系の焦点距離、
である。
【００１４】
【発明の実施の形態】
以下、本発明に係る撮像レンズの実施の形態を、図面を参照しつつ説明する。図１〜図１２に、第１〜第１２の実施の形態のレンズ構成をそれぞれ光学断面で示す。各実施の形態の撮像レンズはいずれも、固体撮像素子(例えばＣＣＤ)に対して光学像を形成する撮像用(例えばデジタルカメラ用)の単焦点レンズであって、物体側から順に、第１レンズ(L1)，開口絞り(ST)，第２レンズ(L2)及び第３レンズ(L3)のレンズ３枚構成になっている。３枚のレンズ(L1〜L3)はいずれもプラスチックレンズであり、各レンズ面(r1,r2,r4〜r7)は非球面である。また第３レンズ(L3)の像側には、光学的ローパスフィルター等に相当する平行平面板状のガラスフィルター(GF)が配置されている。
【００１５】
第１〜第５の実施の形態(図１〜図５)の光学構成は、物体側から順に、パワー(焦点距離の逆数で定義される量)の弱い負又は正の第１レンズ(L1)と、開口絞り(ST)と、正の第２レンズ(L2)と、負の第３レンズ(L3)と、ガラスフィルター(GF)とから成っており、第６〜第８の実施の形態(図６〜図８)の光学構成は、物体側から順に、正の第１レンズ(L1)と、開口絞り(ST)と、正の第２レンズ(L2)と、負の第３レンズ(L3)と、ガラスフィルター(GF)とから成っており、第９〜第１２の実施の形態(図９〜図１２)の光学構成は、物体側から順に、正の第１レンズ(L1)と、開口絞り(ST)と、正の第２レンズ(L2)と、正の第３レンズ(L3)と、ガラスフィルター(GF)とから成っている。そこで、第１〜第８の実施の形態で採用している(負又は正)・正・負のレンズ３枚構成をレンズタイプＡとし、第９〜第１２の実施の形態で採用している正・正・正のレンズ３枚構成をレンズタイプＢとして、各実施の形態の特徴を以下に説明する。
【００１６】
〈レンズタイプＡ…(負又は正)・正・負〉
第１〜３の実施の形態(図１〜図３)では、第１レンズ(L1)が物体側に凸面を向けたパワーの弱い負のメニスカス形状を有しており、第２レンズ(L2)が正の両凸形状を有しており、第３レンズ(L3)が像側に凹面を向けた負のメニスカス形状を有している。このように、物体側から順に、パワーの弱い負メニスカスレンズから成る第１レンズ(L1)と、開口絞り(ST)と、両凸の正レンズから成る第２レンズ(L2)と、像側に凹の負メニスカスレンズから成る第３レンズ(L3)と、でパワー配置が負・正・負のレンズタイプＡを構成することは、撮像レンズの光学性能，コスト及びコンパクト性を良好にバランスさせる上で好ましい。
【００１７】
第４，第５の実施の形態(図４，図５)では、第１レンズ(L1)が弱い正のパワーを有しており、第２レンズ(L2)が像側に凸面を向けた正のメニスカス形状を有しており、第３レンズ(L3)が像側に凹面を向けた負のメニスカス形状を有している。このように、物体側から順に、弱いパワーの正レンズから成る第１レンズ(L1)と、開口絞り(ST)と、像側に凸の正メニスカスレンズから成る第２レンズ(L2)と、像側に凹の負メニスカスレンズから成る第３レンズ(L3)と、でパワー配置が正・正・負のレンズタイプＡを構成することは、撮像レンズの光学性能，コスト及びコンパクト性を良好にバランスさせる上で好ましい。
【００１８】
第６〜第８の実施の形態(図６〜図８)では、第１レンズ(L1)が正のパワーを有しており、第２レンズ(L2)が像側に凸面を向けた正のメニスカス形状を有しており、第３レンズ(L3)が像側に凹面を向けた負のメニスカス形状を有している。このように、物体側から順に、正レンズから成る第１レンズ(L1)と、開口絞り(ST)と、像側に凸の正メニスカスレンズから成る第２レンズ(L2)と、像側に凹の負メニスカスレンズから成る第３レンズ(L3)と、でパワー配置が正・正・負のレンズタイプＡを構成することは、撮像レンズの光学性能，コスト及びコンパクト性を良好にバランスさせる上で好ましい。
【００１９】
レンズタイプＡの撮像レンズにおいて、満たすことが望ましい条件式を以下に説明する。ただし、以下に説明する全ての条件式を同時に満たす必要はなく、個々の条件式を光学構成に応じてそれぞれ単独に満足すれば、対応する作用・効果を達成することは可能である。もちろん、複数の条件式を満足する方が、光学性能，小型化，組立等の観点からより望ましいことはいうまでもない。
【００２０】
第１〜第５の実施の形態では第１レンズ(L1)が弱いパワーを有しているが、そのパワーは以下の条件式(A0)を満足するものであることが望ましい。
｜f／f1｜＜0.6  …(A0)
ただし、
f：全系の焦点距離、
f1：第１レンズ(L1)の焦点距離、
である。
【００２１】
条件式(A0)は、パワーの弱い第１レンズ(L1)に関して、主に製造誤差に伴う性能劣化を減少させるための条件範囲を規定している。条件式(A0)の範囲を外れると、第１レンズ(L1)のパワーが強くなりすぎて、結果として第１レンズ(L1)で発生する各収差が大きくなり、第２レンズ(L2)以降の収差補正負担が大きくなり、製造誤差に伴う性能劣化が激しくなる。
【００２２】
第３レンズ(L3)に関しては以下の条件式(A1)を満足することが望ましく、前記条件式(A0)と共に満足することが更に望ましい。
-2.2＜f／f3＜-0.79  …(A1)
ただし、
f：全系の焦点距離、
f3：第３レンズ(L3)の焦点距離、
である。
【００２３】
条件式(A1)は、第３レンズ(L3)に関して主にコマ収差をバランスさせるための条件範囲を規定している。条件式(A1)の下限を超えると、コマ収差が悪化し倍率色収差への悪影響が大きくなる。逆に、条件式(A1)の上限を超えると、コマ収差が悪化し非点収差への悪影響が大きくなる。
【００２４】
第４〜第８の実施の形態のようにパワー配置が正・正・負のレンズタイプＡでは、第１，第３レンズ(L1,L3)に関して以下の条件式(A2)を満足することが望ましく、なかでも以下の条件式(A2a)を満足することが望ましく、条件式(A2b)を満足することが更に望ましい。
-2.6＜f3／f1＜-0.15  …(A2)
-1.1＜f3／f1＜-0.15  …(A2a)
-0.35＜f3／f1＜-0.15  …(A2b)
ただし、
f3：第３レンズ(L3)の焦点距離、
f1：第１レンズ(L1)の焦点距離、
である。
【００２５】
条件式(A2),(A2a),(A2b)は、主に全長と収差をバランスさせるための条件範囲を規定している。条件式(A2)の上限を超えると、収差補正には有利となるが、全長の増大を招くことになる。逆に、条件式(A2)の下限を超えると、全長短縮には有利となるが、収差劣化(特に歪曲収差と像面湾曲の劣化)が著しくなる。
【００２６】
また第３レンズ(L3)に関しては、以下の条件式(A3)を満足することが望ましく、なかでも以下の条件式(A3a)を満足することが更に望ましい。また、前記条件式(A0),(A1),(A2),(A2a),(A2b)のうちの少なくとも１つと共に満足することが更に望ましい。第４〜第８の実施の形態のようにパワー配置が正・正・負のレンズタイプＡでは、第２レンズ(L2)が像側凸の正のメニスカス形状を有し、第３レンズ(L3)が像側凹の負のメニスカス形状を有するとともに、以下の条件式(A3)を満足することが望ましく、なかでも以下の条件式(A3a)を満足することが更に望ましい。
0.05＜T6／f＜0.5  …(A3)
0.05＜T6／f＜0.4  …(A3a)
ただし、
T6：第３レンズ(L3)の軸上レンズ厚み、
f：全系の焦点距離、
である。
【００２７】
条件式(A3),(A3a)は、第３レンズ(L3)に関して主に倍率色収差とレンズの製造性をバランスさせるための条件範囲を規定している。条件式(A3)の上限を超えると、倍率色収差を良好に補正することが困難になる。逆に、条件式(A3)の下限を超えると、レンズの厚みが薄すぎて製造が困難になる。
【００２８】
〈レンズタイプＢ…正・正・正〉
第９〜第１２の実施の形態(図９〜図１２)では、第１レンズ(L1)が物体側に凸面を向けた正のメニスカス形状を有しており、第２レンズ(L2)が像側に凸面を向けた正のメニスカス形状を有しており、第３レンズ(L3)が像側に凸面を向けた正のメニスカス形状を有している。このように、物体側から順に、物体側に凸の正メニスカスレンズから成る第１レンズ(L1)と、開口絞り(ST)と、像側に凸の正レンズから成る第２レンズ(L2)と、像側に凸の正メニスカスレンズから成る第３レンズ(L3)と、でレンズタイプＢを構成することは、撮像レンズの光学性能，コスト及びコンパクト性を良好にバランスさせる上で好ましい。
【００２９】
レンズタイプＢの撮像レンズにおいて、満たすことが望ましい条件式を以下に説明する。ただし、以下に説明する全ての条件式を同時に満たす必要はなく、個々の条件式を光学構成に応じてそれぞれ単独に満足すれば、対応する作用・効果を達成することは可能である。もちろん、複数の条件式を満足する方が、光学性能，小型化，組立等の観点からより望ましいことはいうまでもない。
【００３０】
第３レンズ(L3)に関しては、以下の条件式(B1)を満足することが望ましい。
0.2＜f／f3＜0.4  …(B1)
ただし、
f：全系の焦点距離、
f3：第３レンズ(L3)の焦点距離、
である。
【００３１】
条件式(B1)は、第３レンズ(L3)に関して主にコマ収差をバランスさせるための条件範囲を規定している。条件式(B1)の下限を超えると、コマ収差が悪化し倍率色収差への悪影響が大きくなる。逆に、条件式(B1)の上限を超えると、コマ収差が悪化し非点収差への悪影響が大きくなる。
【００３２】
第１，第３レンズ(L1,L3)に関しては、以下の条件式(B2)を満足することが望ましい。
0.5＜f3／f1＜2.6  …(B2)
ただし、
f3：第３レンズ(L3)の焦点距離、
f1：第１レンズ(L1)の焦点距離、
である。
【００３３】
条件式(B2)は、主に全長と収差をバランスさせるための条件範囲を規定している。条件式(B2)の上限を超えると、収差補正には有利となるが、全長の増大を招くことになる。逆に、条件式(B2)の下限を超えると、全長短縮には有利となるが、収差劣化(特に歪曲収差と像面湾曲の劣化)が著しくなる。
【００３４】
また、第３レンズ(L3)に関しては以下の条件式(B3)を満足することが望ましく、第１レンズ(L1)が物体側凸の正のメニスカレンズから成り、第２レンズ(L2)が像側凸の正レンズから成り、第３レンズ(L3)が像側凸の正のメニスカスレンズから成るレンズタイプＢのレンズ３枚構成において、以下の条件式(B3)を満足することが更に望ましい。
0.05＜T6／f＜0.4  …(B3)
ただし、
T6：第３レンズ(L3)の軸上レンズ厚み、
f：全系の焦点距離、
である。
【００３５】
条件式(B3)は、第３レンズ(L3)に関して主に倍率色収差とレンズの製造性をバランスさせるための条件範囲を規定している。条件式(B3)の上限を超えると、倍率色収差を良好に補正することが困難になる。逆に、条件式(B3)の下限を超えると、レンズの厚みが薄すぎて製造が困難になる。
【００３６】
〈レンズタイプＡ，Ｂに共通の望ましい構成〉
先に述べたように、第１〜第１２の実施の形態に用いられている第１〜第３レンズ(L1〜L3)はいずれもプラスチックレンズであり、各レンズ面(r1,r2,r4〜r7)は非球面である。このように、全てのレンズ(L1〜L3)をプラスチックレンズで構成することが望ましく、また、全てのレンズ(L1〜L3)の少なくとも１面を非球面で構成することが望ましい。全てのレンズ(L1〜L3)をプラスチックレンズで構成することは、撮像レンズの低コスト化を達成する上で有効であり、また、各レンズ(L1〜L3)に非球面を少なくとも１面用いることは、球面収差，コマ収差及び歪曲収差の補正に大きな効果がある。
【００３７】
第１〜第１２の実施の形態の撮像レンズは、入射光線を屈折により偏向させる屈折型レンズ(つまり、異なる屈折率を有する媒質同士の界面で偏向が行われるタイプのレンズ)のみで構成されているが、これに限らない。例えば、回折により入射光線を偏向させる回折型レンズ，回折作用と屈折作用との組み合わせで入射光線を偏向させる屈折・回折ハイブリッド型レンズ，入射光線を媒質内の屈折率分布により偏向させる屈折率分布型レンズ等を用いてもよい。ただし、媒質内で屈折率が変化する屈折率分布型レンズは、その複雑な製法がコストアップを招くため、本発明に係る撮像レンズでは第１〜第３レンズ(L1〜L3)として均質素材レンズを用いることが望ましい。
【００３８】
また第１〜第１２の実施の形態において、絞り(ST)のほかに不要光をカットするための光束規制板等を必要に応じて配置してもよく、プリズム類(例えば直角プリズム)，ミラー類(例えば平面ミラー)等を用いて、光学的なパワー(焦点距離の逆数で定義される量)を有しない面(例えば、反射面，屈折面，回折面)を光路中に配置することにより、撮像レンズの前，後又は途中で光路を折り曲げてもよい。その折り曲げ位置は必要に応じて設定すればよく、光路の適正な折り曲げにより、撮像レンズが搭載されるデジタル入力機器(デジタルカメラ等)の見かけ上の薄型化やコンパクト化を達成することが可能である。
【００３９】
第１〜第１２の実施の形態の撮像レンズは、デジタル入力機器用の小型撮像レンズとしての使用に適しており、これを光学的ローパスフィルターや固体撮像素子と組み合わせることにより、被写体の映像を光学的に取り込んで電気的な信号として出力する撮像レンズ装置を構成することができる。撮像レンズ装置は、被写体の静止画撮影や動画撮影に用いられるカメラ{例えば、デジタルカメラ；ビデオカメラ；デジタルビデオユニット，パーソナルコンピュータ，モバイルコンピュータ，ペン型スキャナー，携帯電話，携帯情報端末(ＰＤＡ：Personal Digital Assistant)，これらの周辺機器(マウス，スキャナー，プリンター，その他のデジタル入出力機器)等に内蔵又は外付けされるカメラ}の主たる構成要素であり、例えば、物体(被写体)側から順に、物体の光学像を形成する撮像レンズと、光学的ローパスフィルター，赤外カットフィルター等の光学フィルターと、撮像レンズにより形成された光学像を電気的な信号に変換する固体撮像素子と、で構成される。
【００４０】
したがって、上述した第１〜第１２の実施の形態には以下の構成を有する発明(i)〜(vi)が含まれており、その構成により、良好な光学性能を有し低コストでコンパクトな撮像レンズ装置を実現することができる。そして、これをデジタルカメラ等に適用すれば、当該カメラの高性能化，高機能化，低コスト化及びコンパクト化に寄与することができる。
(i)  光学像を形成する撮像レンズと、その撮像レンズにより形成された光学像を電気的な信号に変換する固体撮像素子と、を備えた撮像レンズ装置であって、前記撮像レンズが、物体側から順に、正又は負のパワーを有する第１レンズと、正のパワーを有する第２レンズと、負のパワーを有する第３レンズと、のレンズ３枚で構成され、前記条件式(A0),(A1),(A2),(A2a),(A2b),(A3),(A3a)のうちの少なくとも１つを満足することを特徴とする撮像レンズ装置。
(ii)  光学像を形成する撮像レンズと、その撮像レンズにより形成された光学像を電気的な信号に変換する固体撮像素子と、を備えた撮像レンズ装置であって、前記撮像レンズが、物体側から順に、正のパワーを有する第１レンズと、正のパワーを有する第２レンズと、正のパワーを有する第３レンズと、のレンズ３枚で構成され、前記条件式(B1),(B2),(B3)のうちの少なくとも１つを満足することを特徴とする撮像レンズ装置。
(iii)  更に前記第１レンズと前記第２レンズとの間に開口絞りを有することを特徴とする上記(i)又は(ii)記載の撮像レンズ装置。
(iv)  前記第１〜第３レンズがプラスチックレンズで構成されていることを特徴とする上記(i)〜(iii)のいずれか１つに記載の撮像レンズ装置。
(v)  前記第１〜第３レンズがそれぞれ非球面を少なくとも１面有することを特徴とする上記(i)〜(iv)のいずれか１つに記載の撮像レンズ装置。
(vi)  前記第１〜第３レンズが均質素材レンズで構成されていることを特徴とする上記(i)〜(v)のいずれか１つに記載の撮像レンズ装置。
【００４１】
固体撮像素子としては、例えば複数の画素から成るＣＣＤやＣＭＯＳ(Complementary Metal Oxide Semiconductor)センサー等が用いられ、撮像レンズにより形成された光学像は固体撮像素子により電気的な信号に変換される。撮像レンズで形成されるべき光学像は、固体撮像素子の画素ピッチにより決定される所定の遮断周波数特性を有する光学的ローパスフィルターを通過することにより、電気的な信号に変換される際に発生するいわゆる折り返しノイズが最小化されるように、空間周波数特性が調整される。固体撮像素子で生成した信号は、必要に応じて所定のデジタル画像処理や画像圧縮処理等が施されて、デジタル映像信号としてメモリー(半導体メモリー，光ディスク等)に記録されたり、場合によってはケーブルを介したり赤外線信号に変換されたりして他の機器に伝送される。
【００４２】
なお、撮像レンズの最終面と固体撮像素子との間に配置される光学的ローパスフィルターは、第１〜第１２の実施の形態ではガラスフィルター(GF)で構成されているが、使用されるデジタル入力機器に応じたものであればよい。例えば、所定の結晶軸方向が調整された水晶等を材料とする複屈折型ローパスフィルターや、必要とされる光学的な遮断周波数の特性を回折効果により達成する位相型ローパスフィルター等が適用可能である。
【００４３】
《物体側から正・正・負の順にレンズを有するレンズ３枚以上のレンズタイプ》
次に、正・正・負タイプの撮像レンズの他の実施の形態を、図面を参照しつつ説明する。図２５〜図２７に、第１３〜第１５の実施の形態のレンズ構成をそれぞれ光学断面で示す。第１３〜第１５の実施の形態の撮像レンズはいずれも、固体撮像素子(例えばＣＣＤ)に対して光学像を形成する撮像用(例えばデジタルカメラ用)の単焦点レンズである。そして、物体側から順に、正の第１レンズ(L1)と、開口絞り(ST)と、正の第２レンズ(L2)と、像面側に凹面を向けた負の第３レンズ(L3)と、のレンズ３枚構成になっており、その像面側には光学的ローパスフィルター等に相当する平行平面板状のガラスフィルター(GF)が配置されている。また、第１３〜第１５の実施の形態において、すべてのレンズ面(r1,r2,r4〜r7)は非球面になっている。
【００４４】
第１３〜第１５の実施の形態のレンズ構成を更に詳しく説明する。第１３の実施の形態において、第１レンズ(L1)は像面側に凸面を向けた正のメニスカス形状を有するプラスチックレンズであり、第２レンズ(L2)は像面側に凸面を向けた正のメニスカス形状を有するガラスレンズであり、第３レンズ(L3)は像面側に凹面を向けた負のメニスカス形状を有するプラスチックレンズである。第１４の実施の形態において、第１レンズ(L1)は物体側に凸面を向けた正のメニスカス形状を有するガラスレンズであり、第２レンズ(L2)は像面側に凸面を向けた正のメニスカス形状を有するプラスチックレンズであり、第３レンズ(L3)は両凹形状を有する負のプラスチックレンズである。第１５の実施の形態において、第１レンズ(L1)は物体側に凸面を向けた正のメニスカス形状を有するガラスレンズであり、第２レンズ(L2)は像面側に凸面を向けた正のメニスカス形状を有するプラスチックレンズであり、第３レンズ(L3)は像面側に凹面を向けた負のメニスカス形状を有するプラスチックレンズである。
【００４５】
第１３〜第１５の実施の形態のように、パワー配置が正・正・負のレンズタイプにおいて、第１，第２レンズ(L1,L2)のうちのいずれか一方をガラスレンズ、他方をプラスチックレンズとし、第３レンズ(L3)を像面側に凹面を向けたプラスチックレンズとすることにより、固体撮像素子用の撮像レンズに必要な射出瞳位置，光学性能，コスト，コンパクト性及び製造性を良好にバランスさせることが可能となる。
【００４６】
次に、正・正・負・負タイプの撮像レンズの実施の形態を、図面を参照しつつ説明する。図３１〜図３４に、第１６〜第１９の実施の形態のレンズ構成をそれぞれ光学断面で示す。第１６〜第１９の実施の形態の撮像レンズはいずれも、固体撮像素子(例えばＣＣＤ)に対して光学像を形成する撮像用(例えばデジタルカメラ用)の単焦点レンズである。そして、物体側から順に、正の前群(GrF)と、開口絞り(ST)と、負又は正の後群(GrR)とから成っており、その像側には光学的ローパスフィルター等に相当する平行平面板状のガラスフィルター(GF)が配置されている。前群(GrF)は、正レンズから成る第１レンズ(L1)１枚で構成されており、後群(GrR)は、物体側から順に、正レンズから成る第２レンズ(L2)と、負レンズから成る第３レンズ(L3)と、負レンズから成る第４レンズ(L4)との３枚で構成されている。つまり第１６〜第１９の実施の形態の撮像レンズは、物体側から順に、正の第１レンズ(L1)と、開口絞り(ST)と、正の第２レンズ(L2)と、負の第３レンズ(L3)と、負の第４レンズ(L4)と、のレンズ４枚構成になっている。なお、各レンズ構成図(図３１〜図３４)中、ri(i=1,2,3,...)が付された面は物体側から数えてi番目の面であり、riに*印が付された面は非球面である。
【００４７】
第１６〜第１９の実施の形態のレンズ構成を更に詳しく説明する。第１６〜第１８の実施の形態において、第１レンズ(L1)は物体側に凸面を向けたメニスカス形状を有する正のガラスレンズであり、第２レンズ(L2)は像側に凸面を向けたメニスカス形状を有する正のプラスチックレンズであり、第３レンズ(L3)は像側に凸面を向けたメニスカス形状を有する負のプラスチックレンズであり、第４レンズ(L4)は両凹形状を有する負のプラスチックレンズである。そして、前群(GrF)は正のパワーを有しており、後群(GrR)は負のパワーを有している。第１９の実施の形態において、第１レンズ(L1)は両凸形状を有する正のガラスレンズであり、第２レンズ(L2)は像側に凸面を向けたメニスカス形状を有する正のプラスチックレンズであり、第３レンズ(L3)は像側に凸面を向けたメニスカス形状を有する負のプラスチックレンズであり、第４レンズ(L4)は両凹形状を有する負のプラスチックレンズである。そして、前群(GrF)，後群(GrR)共に正のパワーを有している。
【００４８】
第１６〜第１９の実施の形態のように、物体側から順に、物体側に凸の正レンズと、開口絞り(ST)と、像側に凸の正メニスカスレンズと、像側に凸の負メニスカスレンズと、少なくとも像側面が非球面で像側に凹の負レンズと、のレンズ４枚構成を採用することにより、高い光学性能と適正な射出瞳位置を実現しながらレンズ系のコンパクト化及び低コスト化を達成することができる。また、第１６〜第１９の実施の形態のようにガラスレンズとプラスチックレンズを適切に配置すること、つまり第１レンズ(L1)のみをガラスレンズで構成し、それ以外のレンズ(L2〜L4)をすべてプラスチックレンズで構成することによって、光学性能が良好で低コストかつコンパクトな撮像レンズを実現することができる。また、第１レンズ(L1)のみをガラスレンズで構成することにより、温度変化に対して性能劣化が少なくなり広い温度範囲で光学性能が良好となる。
【００４９】
前述したように、固体撮像素子用の撮像レンズには、高性能化，小型化及び低コスト化が求められているが、射出瞳位置を遠くに離そうとすると撮像レンズ全体の大型化を招いてしまう。さらに近年の低価格化競争のため、撮像レンズにも低コスト化の要望が強くなってきており、また近年の固体撮像素子の高密度化により撮像レンズに要求される性能もより高いものになってきている。以上のような要望に対し、コンパクト化を目指した固体撮像素子用撮像レンズが、特開２０００−１８０７１９号公報，特開２００２−２２８９２２号公報等で提案されている。
【００５０】
しかし、特開２０００−１８０７１９号公報記載の撮像レンズは、画角が５０度以下であり、撮像レンズとして使用するには画角が不充分である。一方、特開２００２−２２８９２２号公報記載の撮像レンズは、画角が６０度以上であり、撮像レンズとして使用するのに充分な画角といえる。しかし、開口絞りの位置がレンズ系の前方に位置しているため、周辺性能に対する製造誤差が厳しくなりやすい構成になっている。したがって、周辺性能を維持するのは困難である。また、特開２０００−１８０７１９号公報，特開２００２−２２８９２２号公報記載の撮像レンズは、いずれも物体側から順に正レンズ，負レンズの並びになっている。これらのように負レンズがレンズ系の前方に位置する構成では、コンパクト化が困難になってしまう。
【００５１】
上記問題点は、物体側から正・正・負の順にレンズを有するレンズ３枚以上のレンズタイプ、例えば、第４〜第８の実施の形態(正・正・負のレンズ３枚)，第１３〜第１５の実施の形態(正・正・負のレンズ３枚)，第１６〜第１９の実施の形態(正・正・負・負のレンズ４枚)の構成を採用することにより解消可能である。つまり、レンズを適切に配置することによりコンパクトにしながらも、最終レンズ面形状を最適にすることにより射出瞳位置をより遠くに位置させることができ、光学性能が良好で低コストかつコンパクトな固体撮像素子用の撮像レンズを提供することが可能である。その特徴的構成を以下に詳述する。
【００５２】
第４〜第８，第１３〜第１９の実施の形態は、固体撮像素子に像を形成する撮像レンズであって、物体側から順に、２枚の正レンズ{第１，第２レンズ(L1,L2)に相当する。}と、少なくとも１枚の負レンズ{第３レンズ(L3)や第４レンズ(L4)に相当する。}とを有し、最も像側のレンズ面が像側に凹面を向けた非球面であり、その非球面が変曲点(point of inflection)を持つことに特徴がある。最も像側のレンズ面の非球面形状は、レンズ構成図が示すレンズ面の断面形状から分かるように、光軸(AX)付近において凹面形状を成しており、中帯域から最外周部では凸面形状を成している。そして、その凹面から凸面へと変化する点が変曲点である。
【００５３】
上記のように、光軸(AX)付近のレンズ面形状を像側に凹面形状とすることによって、レンズ全長を小さくすることが可能となる。レンズ面全体が凹面形状では周辺部での射出瞳位置が近くなってしまうが、中帯域から最外周部にかけてのレンズ面形状を凸面にすることにより、射出瞳位置をより遠くに位置させることが可能となる。その中帯域から最外周部にかけて凸面形状は、像側に凹面を向けた非球面が変曲点を持つことにより構成される。このように特徴的な形状の非球面を最も像側のレンズ面に用いることにより、レンズ全長が小さいにもかかわらず射出瞳位置の遠い撮像レンズを実現することができる。そして、物体側から正・正・負と続くレンズの並びを採用することにより、レンズ全長をより一層効果的に小さくすることができる。
【００５４】
上記のような場合に最適な開口絞り位置が、第１レンズ(L1)と第２レンズ(L2)との間である。つまり、第４〜第８，第１３〜第１９の実施の形態のように、物体側から順に、正レンズ{第１レンズ(L1)に相当する。}と、開口絞り(ST)と、少なくとも１枚のレンズから成るレンズ群{第２，第３レンズ(L2,L3)や第２〜第４レンズ(L2〜L4,GrR)に相当する。}と、で構成され、そのレンズ群の最も像側のレンズが像側に凹面を向けた負レンズ{第３レンズ(L3)又は第４レンズ(L4)に相当する。}であり、その負レンズの像側のレンズ面が非球面であり、その非球面が変曲点を持つことが望ましい。第１レンズの物体側に開口絞りを有する前絞りタイプでは、各レンズを通過する周辺部の光線高さの変化が非常に大きいため、製造誤差に対する敏感度が高くなってしまい、その結果、製造誤差による性能劣化が大きくなってしまう。一方、最も像側のレンズ(すなわち最終レンズ)の像側に開口絞りを有する後絞りタイプでは、射出瞳位置が極端に近くなるため、固体撮像素子用の撮像レンズには適さない。この製造誤差と射出瞳位置とをバランスさせる上で最適な開口絞り位置が、第１レンズ(L1)と第２レンズ(L2)との間である。
【００５５】
また、物体側から順に、正レンズ{第１レンズ(L1)に相当する。}と、開口絞り(ST)と、少なくとも１枚のレンズから成るレンズ群{第２，第３レンズ(L2,L3)や第２〜第４レンズ(L2〜L4,GrR)に相当する。}と、で構成され、そのレンズ群の最も像側のレンズ面が像側に凹面を向けた非球面であり、その非球面が変曲点を持ち、以下の条件式(1)を満足することが望ましい。
1.1＜f／Y'＜1.9  …(1)
ただし、
f：全系の焦点距離、
Y'：最大像高、
である。
【００５６】
条件式(1)は、レンズ全長と前玉径とをバランスさせるための条件範囲を規定している。条件式(1)の下限を越えると、前玉径が大きくなり、撮像レンズ装置の径方向の大型化を招くとともに、歪曲収差の補正が困難になる。逆に、条件式(1)の上限を越えると、光学系の全長が大きくなり、撮像レンズ装置の光軸(AX)方向の大型化を招いてしまう。
【００５７】
以下の条件式(1a)を満足することが望ましく、条件式(1b)を満足することが更に望ましい。条件式(1a),(1b)は、上記条件式(1)が規定している条件範囲のなかでも、上記観点等からより一層好ましい条件範囲を規定している。
1.3＜f／Y'＜1.8  …(1a)
1.4＜f／Y'＜1.7  …(1b)
【００５８】
第４〜第８，第１３〜第１９の実施の形態のように、全てのレンズの少なくとも１面が非球面であることが望ましい。第１〜第３レンズ(L1〜L3)又は第１〜第４レンズ(L1〜L4)のそれぞれに非球面を少なくとも１面設けることは、球面収差，コマ収差及び歪曲収差の補正に大きな効果がある。また、第４〜第８，第１３〜第１９の実施の形態の撮像レンズは、入射光線を屈折作用により偏向させる屈折型レンズ(つまり、異なる屈折率を有する媒質同士の界面で偏向が行われるタイプのレンズ)のみで構成されているが、使用可能なレンズはこれに限らない。例えば、回折作用により入射光線を偏向させる回折型レンズ，回折作用と屈折作用との組み合わせで入射光線を偏向させる屈折・回折ハイブリッド型レンズ，入射光線を媒質内の屈折率分布により偏向させる屈折率分布型レンズ等を用いてもよい。ただし、媒質内で屈折率が変化する屈折率分布型レンズは、その複雑な製法がコストアップを招くため、用いるレンズはすべて均質素材レンズであることが望ましい。
【００５９】
また、絞り(ST)のほかに不要光をカットするための光束規制板等を必要に応じて配置してもよく、プリズム類(例えば直角プリズム)，ミラー類(例えば平面ミラー)等を光路中に配置することにより、その光学的なパワーを有しない面(例えば、反射面，屈折面，回折面)で撮像レンズの前，後又は途中で光路を折り曲げてもよい{例えば、光軸(AX)を約９０度折り曲げるようにして光束を反射させてもよい。}。その折り曲げ位置は必要に応じて設定すればよく、光路の適正な折り曲げにより、撮像レンズが搭載されるデジタル入力機器(デジタルカメラ等)の見かけ上の薄型化やコンパクト化を達成することが可能である。
【００６０】
第４〜第８，第１３〜第１９の実施の形態の撮像レンズは、デジタル入力機器用の小型撮像レンズとしての使用に適しており、これを光学的ローパスフィルターや固体撮像素子と組み合わせることにより、被写体の映像を光学的に取り込んで電気的な信号として出力する撮像レンズ装置を構成することができる。撮像レンズ装置は、被写体の静止画撮影や動画撮影に用いられるカメラ{例えば、デジタルカメラ；ビデオカメラ；デジタルビデオユニット，パーソナルコンピュータ，モバイルコンピュータ，携帯電話，携帯情報端末(ＰＤＡ：Personal Digital Assistant)，これらの周辺機器(マウス，スキャナー，プリンター，その他のデジタル入出力機器)等に内蔵又は外付けされるカメラ}の主たる構成要素であり、例えば、物体(被写体)側から順に、物体の光学像を形成する撮像レンズと、光学的ローパスフィルター，赤外カットフィルター等の光学フィルターと、撮像レンズにより形成された光学像を電気的な信号に変換する固体撮像素子と、で構成される。
【００６１】
したがって、上述した第４〜第８，第１３〜第１９の実施の形態には以下の構成を有する発明(I)〜(V)が含まれており、その構成により、良好な光学性能を有し低コストでコンパクトな撮像レンズ装置を実現することができる。そして、これをデジタルカメラ等に適用すれば、当該カメラの高性能化，高機能化，低コスト化及びコンパクト化に寄与することができる。
(I)  光学像を形成する撮像レンズと、その撮像レンズにより形成された光学像を電気的な信号に変換する撮像素子と、を備えた撮像レンズ装置であって、前記撮像レンズが、物体側から順に、２枚の正レンズと、少なくとも１枚の負レンズとを有し、最も像側のレンズ面が像側に凹面を向けた非球面であり、その非球面が変曲点を持つことを特徴とする撮像レンズ装置。
(II)  光学像を形成する撮像レンズと、その撮像レンズにより形成された光学像を電気的な信号に変換する撮像素子と、を備えた撮像レンズ装置であって、前記撮像レンズが、物体側から順に、正レンズと、開口絞りと、少なくとも１枚のレンズから成るレンズ群と、で構成され、そのレンズ群の最も像側のレンズが像側に凹面を向けた負レンズであり、その負レンズの像側のレンズ面が非球面であり、その非球面が変曲点を持つことを特徴とする撮像レンズ装置。
(III)  光学像を形成する撮像レンズと、その撮像レンズにより形成された光学像を電気的な信号に変換する撮像素子と、を備えた撮像レンズ装置であって、前記撮像レンズが、物体側から順に、正レンズと、開口絞りと、少なくとも１枚のレンズから成るレンズ群と、で構成され、そのレンズ群の最も像側のレンズ面が像側に凹面を向けた非球面であり、その非球面が変曲点を持ち、前記条件式(1),(1a),(1b)のうちの少なくとも１つを満足することを特徴とする撮像レンズ装置。
(IV)  すべてのレンズがそれぞれ非球面を少なくとも１面有することを特徴とする上記(I)〜(III)のいずれか１つに記載の撮像レンズ装置。
(V)  すべてのレンズが均質素材レンズで構成されていることを特徴とする上記(I)〜(IV)のいずれか１つに記載の撮像レンズ装置。
【００６２】
撮像素子としては、例えば複数の画素から成るＣＣＤやＣＭＯＳ(Complementary Metal Oxide Semiconductor)センサー等の固体撮像素子が用いられ、撮像レンズにより形成された光学像は固体撮像素子により電気的な信号に変換される。撮像レンズで形成されるべき光学像は、固体撮像素子の画素ピッチにより決定される所定の遮断周波数特性を有する光学的ローパスフィルターを通過することにより、電気的な信号に変換される際に発生するいわゆる折り返しノイズが最小化されるように、空間周波数特性が調整される。固体撮像素子で生成した信号は、必要に応じて所定のデジタル画像処理や画像圧縮処理等が施されて、デジタル映像信号としてメモリー(半導体メモリー，光ディスク等)に記録されたり、場合によってはケーブルを介したり赤外線信号に変換されたりして他の機器に伝送される。なお、撮像レンズの最終面と固体撮像素子との間に配置される光学的ローパスフィルターは、各実施の形態ではガラスフィルター(GF)で構成されているが、使用されるデジタル入力機器に応じたものであればよい。例えば、所定の結晶軸方向が調整された水晶等を材料とする複屈折型ローパスフィルターや、必要とされる光学的な遮断周波数の特性を回折効果により達成する位相型ローパスフィルター等が適用可能である。
【００６３】
【実施例】
以下、本発明を実施した撮像レンズを、コンストラクションデータ等を挙げて更に具体的に説明する。ここで挙げる実施例１〜１９は、前述した第１〜第１９の実施の形態にそれぞれ対応しており、第１〜第１９の実施の形態を表すレンズ構成図(図１〜図１２，図２５〜図２７，図３１〜図３４)は、対応する実施例１〜１９のレンズ構成をそれぞれ示している。各実施例のコンストラクションデータにおいて、ri(i=1,2,3,...)は物体側から数えてi番目の面の曲率半径(mm)、di(i=1,2,3,...)は物体側から数えてi番目の軸上面間隔(mm)を示しており、Ni(i=1,2,3,...),νi(i=1,2,3,...)は物体側から数えてi番目の光学要素のｄ線に対する屈折率(Nd),アッベ数(νd)を示している。全系の焦点距離(f,mm)及びＦナンバー(FNO)を他のデータとあわせて示し、また、各条件式の対応値を表１，表２に示す。
【００６４】
曲率半径riに*印が付された面は、非球面形状の屈折光学面又は非球面と等価な屈折作用を有する面であることを示し、非球面の面形状を表わす以下の式(AS)で定義されるものとする。各実施例の非球面データを他のデータとあわせて示す。
X(H)＝(C0・H2)／{1+√(1-ε・C02・H2)}＋Σ(Ai・Hi)  …(AS)
ただし、式(AS)中、
X(H)：高さHの位置での光軸(AX)方向の変位量(面頂点基準)、
H：光軸(AX)に対して垂直な方向の高さ、
C0：近軸曲率(=1／曲率半径)、
ε：２次曲面パラメータ、
Ai：i次の非球面係数(Ai=0の場合のデータは省略する。)、
である。
【００６５】
図１３〜図２４，図２８〜図３０，図３５〜図３８は、実施例１〜実施例１９に対応する収差図であり、図１３〜図２４，図２８〜図３０，図３５〜図３８中、(Ａ)は球面収差図，(Ｂ)は非点収差図，(Ｃ)は歪曲収差図である{FNO:Ｆナンバー，Y':最大像高(mm)}。球面収差図において、実線(d)はｄ線、一点鎖線(g)はｇ線、二点鎖線(c)はｃ線に対する各球面収差量(mm)を表しており、破線(SC)は正弦条件不満足量(mm)を表している。非点収差図において、破線(DM)はメリディオナル面でのｄ線に対する非点収差(mm)を表しており、実線(DS)はサジタル面でのｄ線に対する非点収差(mm)を表わしている。また、歪曲収差図において実線はｄ線に対する歪曲(％)を表している。
【００６６】
2004163849.tif 000003
【００６７】
2004163849.tif 000004
【００６８】
2004163849.tif 000005
【００６９】
2004163849.tif 000006
【００７０】
2004163849.tif 000007
【００７１】
2004163849.tif 000008
【００７２】
2004163849.tif 000009
【００７３】
2004163849.tif 000010
【００７４】
2004163849.tif 000011
【００７５】
2004163849.tif 000012
【００７６】
2004163849.tif 000013
【００７７】
2004163849.tif 000014
【００７８】
2004163849.tif 000015
【００７９】
2004163849.tif 000016
【００８０】
2004163849.tif 000017
【００８１】
2004163849.tif 000018
【００８２】
2004163849.tif 000019
【００８３】
2004163849.tif 000020
【００８４】
2004163849.tif 000021
【００８５】
2004163849.tif 000022
【００８６】
2004163849.tif 000023
【００８７】
2004163849.tif 000024
【００８８】
2004163849.tif 000025
【００８９】
2004163849.tif 000026
【００９０】
【表１】
2004163849.tif 000027
【００９１】
2004163849.tif 000028
【００９２】
2004163849.tif 000029
【００９３】
2004163849.tif 000030
【００９４】
2004163849.tif 000031
【００９５】
2004163849.tif 000032
【００９６】
2004163849.tif 000033
【００９７】
2004163849.tif 000034
【００９８】
2004163849.tif 000035
【００９９】
2004163849.tif 000036
【０１００】
2004163849.tif 000037
【０１０１】
2004163849.tif 000038
【０１０２】
2004163849.tif 000039
【０１０３】
2004163849.tif 000040
【０１０４】
2004163849.tif 000041
【０１０５】
【表２】
2004163849.tif 000042
【０１０６】
【発明の効果】
以上説明したように本発明によれば、光学性能が良好で低コストかつコンパクトな固体撮像素子用の撮像レンズを実現することができる。そして、本発明に係る撮像レンズを携帯電話搭載のカメラやデジタルカメラ等のデジタル入力機器に用いれば、当該機器の高性能化，高機能化，低コスト化及びコンパクト化に寄与することができる。
【図面の簡単な説明】
【図１】第１の実施の形態(実施例１)のレンズ構成図。
【図２】第２の実施の形態(実施例２)のレンズ構成図。
【図３】第３の実施の形態(実施例３)のレンズ構成図。
【図４】第４の実施の形態(実施例４)のレンズ構成図。
【図５】第５の実施の形態(実施例５)のレンズ構成図。
【図６】第６の実施の形態(実施例６)のレンズ構成図。
【図７】第７の実施の形態(実施例７)のレンズ構成図。
【図８】第８の実施の形態(実施例８)のレンズ構成図。
【図９】第９の実施の形態(実施例９)のレンズ構成図。
【図１０】第１０の実施の形態(実施例１０)のレンズ構成図。
【図１１】第１１の実施の形態(実施例１１)のレンズ構成図。
【図１２】第１２の実施の形態(実施例１２)のレンズ構成図。
【図１３】実施例１の収差図。
【図１４】実施例２の収差図。
【図１５】実施例３の収差図。
【図１６】実施例４の収差図。
【図１７】実施例５の収差図。
【図１８】実施例６の収差図。
【図１９】実施例７の収差図。
【図２０】実施例８の収差図。
【図２１】実施例９の収差図。
【図２２】実施例１０の収差図。
【図２３】実施例１１の収差図。
【図２４】実施例１２の収差図。
【図２５】第１３の実施の形態(実施例１３)のレンズ構成図。
【図２６】第１４の実施の形態(実施例１４)のレンズ構成図。
【図２７】第１５の実施の形態(実施例１５)のレンズ構成図。
【図２８】実施例１３の収差図。
【図２９】実施例１４の収差図。
【図３０】実施例１５の収差図。
【図３１】第１６の実施の形態(実施例１６)のレンズ構成図。
【図３２】第１７の実施の形態(実施例１７)のレンズ構成図。
【図３３】第１８の実施の形態(実施例１８)のレンズ構成図。
【図３４】第１９の実施の形態(実施例１９)のレンズ構成図。
【図３５】実施例１６の収差図。
【図３６】実施例１７の収差図。
【図３７】実施例１８の収差図。
【図３８】実施例１９の収差図。
【符号の説明】
L1  …第１レンズ
ST  …開口絞り
L2  …第２レンズ
L3  …第３レンズ
GF  …ガラスフィルター
AX  …光軸
【図１】
2004163849.tif 000043
【図２】
2004163849.tif 000044
【図３】
2004163849.tif 000045
【図４】
2004163849.tif 000046
【図５】
2004163849.tif 000047
【図６】
2004163849.tif 000048
【図７】
2004163849.tif 000049
【図８】
2004163849.tif 000050
【図９】
2004163849.tif 000051
【図１０】
2004163849.tif 000052
【図１１】
2004163849.tif 000053
【図１２】
2004163849.tif 000054
【図１３】
2004163849.tif 000055
【図１４】
2004163849.tif 000056
【図１５】
2004163849.tif 000057
【図１６】
2004163849.tif 000058
【図１７】
2004163849.tif 000059
【図１８】
2004163849.tif 000060
【図１９】
2004163849.tif 000061
【図２０】
2004163849.tif 000062
【図２１】
2004163849.tif 000063
【図２２】
2004163849.tif 000064
【図２３】
2004163849.tif 000065
【図２４】
2004163849.tif 000066
【図２５】
2004163849.tif 000067
【図２６】
2004163849.tif 000068
【図２７】
2004163849.tif 000069
【図２８】
2004163849.tif 000070
【図２９】
2004163849.tif 000071
【図３０】
2004163849.tif 000072
【図３１】
2004163849.tif 000073
【図３２】
2004163849.tif 000074
【図３３】
2004163849.tif 000075
【図３４】
2004163849.tif 000076
【図３５】
2004163849.tif 000077
【図３６】
2004163849.tif 000078
【図３７】
2004163849.tif 000079
【図３８】
2004163849.tif 000080